(57)【要約】【課題】  部分領域毎に輝度を調整することにより、コントラスト比を向上させ、画質を改善することのできるディスプレイ装置およびその輝度調整方法を提供する。【解決手段】  本ディスプレイ装置は、映像信号を表示するパネル部と、映像信号が可視化されるようにパネル部に光を提供する発光部と、パネル部の部分領域毎に光が提供されるように発光部を制御する発光制御部と、部分領域毎に提供される光によって発生するアーチファクトが除去されるように、映像信号に含まれた画素値を部分領域毎に補償するパネル制御部と、を含む。【選択図】図１
2008263586.tif 000002
【特許請求の範囲】
【請求項１】
映像信号を表示するパネル部と、
前記映像信号が可視化されるように前記パネル部に光を提供する発光部と、
前記映像信号の領域に対応する輝度値に応じて、前記パネル部の部分領域毎に光が提供されるように前記発光部を制御する発光制御部と、
前記映像信号の領域に対応する輝度値に応じて、前記映像信号に含まれた画素値を前記部分領域毎に補償するパネル制御部と、
を含むことを特徴とするディスプレイ装置。
【請求項２】
前記パネル制御部は、
前記発光部を制御するために前記発光制御部から算出された前記輝度値の代表値を用いて、前記部分領域毎に前記画素値を補償することを特徴とする請求項１に記載のディスプレイ装置。
【請求項３】
前記発光制御部は、
入力される映像信号の前記部分領域毎のＲＧＢ画素値の大きさに応じて、前記パネル部に光を提供するように前記発光部を制御するための代表値を前記部分領域毎に算出することを特徴とする請求項１に記載のディスプレイ装置。
【請求項４】
前記パネル制御部は、
前記画素値を補償するための補償係数を次の数式に適用し、補償されたＲ’Ｇ’Ｂ’画素値を算出することを特徴とする請求項２に記載のディスプレイ装置。
【数１】
2008263586.tif 000026
前記数式において、Ｒ、Ｇ、Ｂは補償前の画素値、Ｒ’、Ｇ’、Ｂ’は補償された画素値、及びｆｃは補償係数である。
【請求項５】
前記パネル制御部は、
前記補償係数を次の数式を用いて算出することを特徴とする請求項４に記載のディスプレイ装置。
【数２】
2008263586.tif 000027
前記数式において、ｆｃ（ｉ，ｊ）は（ｉ，ｊ）番目画素の補償係数、Ｔｈｒは補償利得を制御するための媒介変数、ｆｂ（ｉ，ｊ）は（ｉ，ｊ）番目画素の補間された輝度値、ＬＵＴＢＬＵ（ｆｂ（ｉ，ｊ））はｆｂ（ｉ，ｊ）をルックアップテーブルを用いて補正した値、Ｙ（ｉ，ｊ）＝ｍａｘ（Ｒ（ｉ，ｊ），Ｇ（ｉ，ｊ），Ｂ（ｉ，ｊ））、及びＬＵＴＧＲＡＹ（Ｙ（ｉ，ｊ））はＹ（ｉ，ｊ）をルックアップテーブルを用いて補正した値である。
【請求項６】
前記パネル制御部は、
前記補償された輝度値は、次の数式を用いて推定された輝度値を補間して算出することを特徴とする請求項５に記載のディスプレイ装置。
【数３】
2008263586.tif 000028
前記数式において、ｆＥ（ｍ，ｎ）はｍ×ｎに分割された１画面において部分領域毎に推定された輝度値、ＢＬＫ＿ＮＵＭは全体部分領域の個数、ＬＬＤ（ｋ）は部分領域（ｋ）の代表値、及びＷｋ（ｍ，ｎ）は（ｍ，ｎ）番目部分領域（ｋ）の光プロファイルデータである。
【請求項７】
前記発光制御部は、
前記ＲＧＢ画素値のうち、最も大きい値を有する画素に対して、前記部分領域毎のグレイレベルヒストグラムを算出した後、次の数式を用いて、前記部分領域毎の初期代表値を算出することを特徴とする請求項３に記載のディスプレイ装置。
【数４】
2008263586.tif 000029
前記数式において、Ｌｉｎｉｔ（ｋ）は部分領域（ｋ）の初期代表値、Ｌ＿Ｔｈｒは部分領域（ｋ）の輝度補償のための係数、ＢＬＫ＿ＮＵＭは全体部分領域の個数、Ｎｈはグレイレベルの個数、Ｎｉは部分領域（ｋ）に対するグレイレベルヒストグラムにおいてｉ番目グレイレベルに該当する画素の個数、及びＭｉは部分領域（ｋ）に対するグレイレベルヒストグラムにおいてｉ番目グレイレベルの平均画素値である。
【請求項８】
前記発光制御部は、
前記初期代表値に対して空間フィルタリング及び時間フィルタリングを行い、前記発光部を制御するための代表値を出力することを特徴とする請求項７に記載のディスプレイ装置。
【請求項９】
前記パネル制御部は、
補償された前記画素値により前記代表値が調整されて発生する画面全体の輝度を補償することを特徴とする請求項２に記載のディスプレイ装置。
【請求項１０】
前記発光制御部は、
画面全体に対して前記代表値を同一比率に調整するための前記比率を、次の数式を用いて算出することを特徴とする請求項４に記載のディスプレイ装置。
【数５】
2008263586.tif 000030
前記数式において、ＲＧＤは前記比率、Ａはカットオフグレイレベル、及びＴｈｒ２は０〜１範囲の閾値である。
【請求項１１】
前記カットオフグレイレベルは、次の数式を満たす最大グレイレベル値であることを特徴とする請求項１０に記載のディスプレイ装置。
【数６】
2008263586.tif 000031
前記数式において、ｇは０〜２５５までのグレイレベル、Ｈ（ｇ）はグレイレベルｇに該当する画素の個数、及びＣｕｔ＿Ｔｈｒはグレイレベル０〜Ａに該当する画素の個数が複数になる予め設定された閾値である。
【請求項１２】
前記パネル制御部は、
次の数式を用いて補償されたＲ”Ｇ”Ｂ”画素値を算出することを特徴とする請求項１０に記載のディスプレイ装置。
【数７】
2008263586.tif 000032
前記数式において、ｆＩＩＲはＩＩＲ（Ｉｎｆｉｎｉｔｅ  Ｉｍｐｕｌｓｅ  Ｒｅｓｐｏｎｓｅ）低域パスフィルタ、及びγはガンマ補償係数である。
【請求項１３】
前記パネル制御部は、
前記Ｒ’Ｇ’Ｂ’画素値をディザリングし、輪郭線アーチファクト（Ｃｏｎｔｏｕｒ  ａｒｔｉｆａｃｔ）を除去することを特徴とする請求項４に記載のディスプレイ装置。
【請求項１４】
映像信号を表示するパネル部と、前記映像信号が可視化されるように前記パネル部に光を提供する発光部と、を含むディスプレイ装置の輝度調整方法において、
前記パネル部の部分領域毎に光が提供されるように前記発光部を制御するステップと、
前記部分領域毎に提供される光によって発生するアーチファクトが除去されるように、前記映像信号に含まれた画素値を前記部分領域毎に補償するステップと、
を含むことを特徴とするディスプレイ装置の輝度調整方法。
【請求項１５】
前記画素値を補償するステップは、
前記発光部を制御するために前記発光制御部から算出された代表値を用いて、前記部分領域毎に前記画素値を補償するステップであることを特徴とする請求項１４に記載のディスプレイ装置の輝度調整方法。
【請求項１６】
前記発光部を制御するステップは、
入力される映像信号の前記部分領域毎のＲＧＢ画素値の大きさに応じて、前記パネル部に光を提供するように前記発光部を制御するための代表値を前記部分領域毎に算出するステップであることを特徴とする請求項１５に記載のディスプレイ装置の輝度調整方法。
【請求項１７】
前記画素値を補償するステップは、
前記画素値を補償するための補償係数を次の数式に適用し、補償されたＲ’Ｇ’Ｂ’画素値を算出することを特徴とする請求項１５に記載のディスプレイ装置の輝度調整方法。
【数８】
2008263586.tif 000033
前記数式において、Ｒ、Ｇ、Ｂは補償前の画素値、Ｒ’、Ｇ’、Ｂ’は補償された画素値、及びｆｃは補償係数である。
【請求項１８】
前記画素値を補償するステップは、
前記補償係数を次の数式を用いて算出することを特徴とする請求項１７に記載のディスプレイ装置の輝度調整方法。
【数９】
2008263586.tif 000034
前記数式において、ｆｃ（ｉ，ｊ）は（ｉ，ｊ）番目画素の補償係数、Ｔｈｒは補償利得を制御するための媒介変数、ｆｂ（ｉ，ｊ）は（ｉ，ｊ）番目画素の補間された輝度値、ＬＵＴＢＬＵ（ｆｂ（ｉ，ｊ））はｆｂ（ｉ，ｊ）をルックアップテーブルを用いて補正した値、Ｙ（ｉ，ｊ）＝ｍａｘ（Ｒ（ｉ，ｊ），Ｇ（ｉ，ｊ），Ｂ（ｉ，ｊ））、及びＬＵＴＧＲＡＹ（Ｙ（ｉ，ｊ））はＹ（ｉ，ｊ）をルックアップテーブルを用いて補正した値である。
【請求項１９】
前記画素値を補償するステップは、
前記補償された輝度値は、次の数式を用いて推定された輝度値を補間して算出することを特徴とする請求項１８に記載のディスプレイ装置の輝度調整方法。
【数１０】
2008263586.tif 000035
前記数式において、ｆＥ（ｍ，ｎ）はｍ×ｎに分割された１画面において部分領域毎に推定された輝度値、ＢＬＫ＿ＮＵＭは全体部分領域の個数、ＬＬＤ（ｋ）は部分領域（ｋ）の代表値、及びＷｋ（ｍ，ｎ）は（ｍ，ｎ）番目部分領域（ｋ）の光プロファイルデータである。
【請求項２０】
前記発光部を制御するステップは、
前記ＲＧＢ画素値のうち、最も大きい値を有する画素に対して、前記部分領域毎のグレイレベルヒストグラムを算出した後、次の数式を用いて、前記部分領域毎の初期代表値を算出することを特徴とする請求項１６に記載のディスプレイ装置の輝度調整方法。
【数１１】
2008263586.tif 000036
前記数式において、Ｌｉｎｉｔ（ｋ）は部分領域（ｋ）の初期代表値、Ｌ＿Ｔｈｒは部分領域（ｋ）の輝度補償のための係数、ＢＬＫ＿ＮＵＭは全体部分領域の個数、Ｎｈはグレイレベルの個数、Ｎｉは部分領域（ｋ）に対するグレイレベルヒストグラムにおいてｉ番目グレイレベルに該当する画素の個数、及びＭｉは部分領域（ｋ）に対するグレイレベルヒストグラムにおいてｉ番目グレイレベルの平均画素値である。
【請求項２１】
前記発光部を制御するステップは、
前記初期代表値に対して空間フィルタリング及び時間フィルタリングを行い、前記発光部を制御するための代表値を出力することを特徴とする請求項２０に記載のディスプレイ装置の輝度調整方法。
【請求項２２】
補償された前記画素値により前記代表値が調整されて発生する画面全体の輝度を補償するステップを更に含むことを特徴とする請求項１５に記載のディスプレイ装置の輝度調整方法。
【請求項２３】
画面全体に対して前記代表値を同一比率に調整するための前記比率を、次の数式を用いて算出するステップを更に含むことを特徴とする請求項１７に記載のディスプレイ装置の輝度調整方法。
【数１２】
2008263586.tif 000037
前記数式において、ＲＧＤは前記比率、Ａはカットオフグレイレベル、及びＴｈｒ２は０〜１範囲の閾値である。
【請求項２４】
前記カットオフグレイレベルは、次の数式を満たす最大グレイレベル値であることを特徴とする請求項２３に記載のディスプレイ装置の輝度調整方法。
【数１３】
2008263586.tif 000038
前記数式において、ｇは０〜２５５までのグレイレベル、Ｈ（ｇ）はグレイレベルｇに該当する画素の個数、及びＣｕｔ＿Ｔｈｒはグレイレベル０〜Ａに該当する画素の個数が複数になる予め設定された閾値である。
【請求項２５】
次の数式を用いて補償されたＲ”Ｇ”Ｂ”画素値を算出するステップを更に含むことを特徴とする請求項２３に記載のディスプレイ装置の輝度調整方法。
【数１４】
2008263586.tif 000039
前記数式において、ｆＩＩＲはＩＩＲ（Ｉｎｆｉｎｉｔｅ  Ｉｍｐｕｌｓｅ  Ｒｅｓｐｏｎｓｅ）低域パスフィルタ、及びγはガンマ補償係数である。
【請求項２６】
前記画素値を補償するステップは、
前記Ｒ’Ｇ’Ｂ’画素値をディザリングし、輪郭線アーチファクト（Ｃｏｎｔｏｕｒ  ａｒｔｉｆａｃｔ）を除去するステップを含むことを特徴とする請求項１７に記載のディスプレイ装置の輝度調整方法。
【請求項２７】
前記発光部は、
複数のＬＥＤ（Ｌｉｇｈｔ  Ｅｍｉｔｔｉｎｇ  Ｄｉｏｄｅ）、複数のＣＣＦＬ（Ｃｏｌｄ  Ｃａｔｈｏｄｅ  Ｆｌｕｏｒｅｓｃｅｎｔ  Ｌａｍｐ）、複数のＦＥＤ（Ｆｉｅｌｄ  Ｅｍｉｓｓｉｏｎ  Ｄｉｏｄｅ）、及び複数のＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）のうち少なくともいずれか一つから構成されることを特徴とする請求項１に記載のディスプレイ装置。
【発明の詳細な説明】
【技術分野】
【０００１】
本発明はディスプレイ装置およびその輝度調整方法に関し、より詳細には、入力される映像信号に対応して、画面の部分領域毎に輝度を調整するディスプレイ装置およびその輝度調整方法に関する。
【背景技術】
【０００２】
一般に、ＬＣＤ（Ｌｉｑｕｉｄ  Ｃｒｙｓｔａｌ  Ｄｉｓｐｌａｙ）のようなディスプレイ装置は、テレビやノートＰＣ、テスクトップコンピューター等に映像をディスプレイするために用いられる。このようなＬＣＤのようなディスプレイ装置は、自ら光を発生させることができないため、別途の光源からの光を利用して映像をディスプレイする。すなわち、ＬＣＤは液晶パネルと液晶パネルの裏面にバックライトを含む発光部を備え、液晶パネルが発光部から発散される光の透過率を調整することにより映像をディスプレイする。
【０００３】
従来には、液晶パネルの全体に光を均一に供給するユニフォームバックライド（Ｕｎｉｆｏｒｍ  Ｂａｃｋｌｉｇｈｔ）をＬＣＤの発光部に主に使用した。このようなユニフォームバックライトの使用により、暗い映像と明るい映像とが両方とも同一な輝度の光によりディスプレイされる。これにより、花火や爆発場面のような映像では部分的に高い輝度を要する部分があるが、これに対する適切な補償方法がなく、生々しい映像を表現することが困難であった。
【０００４】
また、ユニフォームバックライトから生成された光が液晶パネルに入射して干渉を起こすため、ＬＣＤは画素値の‘０’のブラック映像をトルー（Ｔｒｕｅ）ブラック映像にディスプレイすることができず、画面全体のコントラスト比が低下するようになる。また、輝度の低い光を介してディスプレイすることのできる暗い映像でもユニフォームバックライドにおいて同一輝度の光が発生してしまい電力が浪費される。
【特許文献１】韓国公開特許第２００６−１２０６７３号公報
【特許文献２】韓国公開特許第２００４−０５７８８２号公報
【特許文献３】韓国公開特許第２００６−００１６９４号公報
【特許文献４】日本公開特許第２００４−１９１４９０号公報
【発明の開示】
【発明が解決しようとする課題】
【０００５】
本発明は前述の問題点を解決するために提出されたもので、本発明の目的は、画面のコントラスト比を向上させるために、入力される映像信号に応じて、画面の部分領域毎に発光部の輝度を調整するディスプレイ装置およびその輝度調整方法を提供することにある。
【０００６】
本発明の他の目的は、部分領域毎に輝度の調整された発光部によって映像信号が損失されて表示されることを防止するために、部分領域毎に画素値を補償するディスプレイ装置およびその輝度調整方法を提供することにある。
【０００７】
本発明の他の目的は、電力の浪費を削減するために、映像信号に応じて、全体画面の輝度を調整し、全体画面の画素値を補償するディスプレイ装置およびその輝度調整方法を提供することにある。
【課題を解決するための手段】
【０００８】
以上のような目的を達成するための本発明の一実施形態に係るディスプレイ装置は、映像信号を表示するパネル部と、前記映像信号が可視化されるように前記パネル部に光を提供する発光部と、前記パネル部の部分領域毎に光が提供されるように前記発光部を制御する発光制御部と、前記部分領域毎に提供される光によって発生するアーチファクトが除去されるように、前記映像信号に含まれた画素値を前記部分領域毎に補償するパネル制御部と、を含む。
【０００９】
前記パネル制御部は、前記発光部を制御するために前記発光制御部から算出された代表値を用いて、前記部分領域毎に前記画素値を補償することを特徴とする。
【００１０】
前記発光制御部は、入力される映像信号の前記部分領域毎のＲＧＢ画素値の大きさに応じて、前記パネル部に光を提供するように前記発光部を制御するための代表値を前記部分領域毎に算出することを特徴とする。
【００１１】
前記パネル制御部は、前記画素値を補償するための補償係数を次の数式に適用し、補償されたＲ’Ｇ’Ｂ’画素値を算出することを特徴とする。
【００１２】
【数１５】
2008263586.tif 000003
前記数式において、Ｒ、Ｇ、Ｂは補償前の画素値、Ｒ’、Ｇ’、Ｂ’は補償された画素値、及びｆｃは補償係数である。
【００１３】
前記パネル制御部は、前記補償係数を次の数式を用いて算出することを特徴とする。
【００１４】
【数１６】
2008263586.tif 000004
前記数式において、ｆｃ（ｉ，ｊ）は（ｉ，ｊ）番目画素の補償係数、Ｔｈｒは補償利得を制御するための媒介変数、ｆｂ（ｉ，ｊ）は（ｉ，ｊ）番目画素の補間された輝度値、ＬＵＴＢＬＵ（ｆｂ（ｉ，ｊ））はｆｂ（ｉ，ｊ）をルックアップテーブルを用いて補正した値、Ｙ（ｉ，ｊ）＝ｍａｘ（Ｒ（ｉ，ｊ），Ｇ（ｉ，ｊ），Ｂ（ｉ，ｊ））、及びＬＵＴＧＲＡＹ（Ｙ（ｉ，ｊ））はＹ（ｉ，ｊ）をルックアップテーブルを用いて補正した値である。
【００１５】
前記パネル制御部は、前記補償された輝度値は、次の数式を用いて推定された輝度値を補間して算出することを特徴とする。
【００１６】
【数１７】
2008263586.tif 000005
前記数式において、ｆＥ（ｍ，ｎ）はｍ×ｎに分割された１画面において部分領域毎に推定された輝度値、ＢＬＫ＿ＮＵＭは全体部分領域の個数、ＬＬＤ（ｋ）は部分領域（ｋ）の代表値、及びＷｋ（ｍ，ｎ）は（ｍ，ｎ）番目部分領域（ｋ）の光プロファイルデータである。
【００１７】
前記発光制御部は、前記ＲＧＢ画素値のうち、最も大きい値を有する画素に対して、前記部分領域毎のグレイレベルヒストグラムを算出した後、次の数式を用いて、前記部分領域毎の初期代表値を算出することを特徴とする。
【００１８】
【数１８】
2008263586.tif 000006
前記数式において、Ｌｉｎｉｔ（ｋ）は部分領域（ｋ）の初期代表値、Ｌ＿Ｔｈｒは部分領域（ｋ）の輝度補償のための係数、ＢＬＫ＿ＮＵＭは全体部分領域の個数、Ｎｈはグレイレベルの個数、Ｎｉは部分領域（ｋ）に対するグレイレベルヒストグラムにおいてｉ番目グレイレベルに該当する画素の個数、及びＭｉは部分領域（ｋ）に対するグレイレベルヒストグラムにおいてｉ番目グレイレベルの平均画素値である。
【００１９】
前記発光制御部は、前記初期代表値に対して空間フィルタリング及び時間フィルタリングを行い、前記発光部を制御するための代表値を出力することを特徴とする。
【００２０】
前記パネル制御部は、補償された前記画素値により前記代表値が調整されて発生する画面全体の輝度を補償することを特徴とする。
【００２１】
前記発光制御部は、画面全体に対して前記代表値を同一比率に調整するための前記比率を、次の数式を用いて算出することを特徴とする。
【００２２】
【数１９】
2008263586.tif 000007
前記数式において、ＲＧＤは前記比率、Ａはカットオフグレイレベル、及びＴｈｒ２は０〜１範囲の閾値である。
【００２３】
前記カットオフグレイレベルは、次の数式を満たす最大グレイレベル値であることを特徴とする。
【００２４】
【数２０】
2008263586.tif 000008
前記数式において、ｇは０〜２５５までのグレイレベル、Ｈ（ｇ）はグレイレベルｇに該当する画素の個数、及びＣｕｔ＿Ｔｈｒはグレイレベル０〜Ａに該当する画素の個数が複数になる予め設定された閾値である。
【００２５】
前記パネル制御部は、次の数式を用いて補償されたＲ”Ｇ”Ｂ”画素値を算出することを特徴とする。
【００２６】
【数２１】
2008263586.tif 000009
前記数式において、ｆＩＩＲはＩＩＲ（Ｉｎｆｉｎｉｔｅ  Ｉｍｐｕｌｓｅ  Ｒｅｓｐｏｎｓｅ）低域パスフィルタ、及びγはガンマ補償係数である。
【００２７】
前記パネル制御部は、前記Ｒ’Ｇ’Ｂ’画素値をディザリングし、輪郭線アーチファクト（Ｃｏｎｔｏｕｒ  ａｒｔｉｆａｃｔ）を除去することを特徴とする。
【００２８】
一方、映像信号を表示するパネル部と、前記映像信号が可視化されるように前記パネル部に光を提供する発光部と、を含むディスプレイ装置の輝度調整方法は、前記パネル部の部分領域毎に光が提供されるように前記発光部を制御するステップと、前記部分領域毎に提供される光によって発生するアーチファクトが除去されるように、前記映像信号に含まれた画素値を前記部分領域毎に補償するステップと、を含む。
【００２９】
前記画素値を補償するステップは、前記発光部を制御するために前記発光制御部から算出された代表値を用いて、前記部分領域毎に前記画素値を補償するステップであることを特徴とする。
【００３０】
前記発光部を制御するステップは、入力される映像信号の前記部分領域毎のＲＧＢ画素値の大きさに応じて、前記パネル部に光を提供するように前記発光部を制御するための代表値を前記部分領域毎に算出するステップであることを特徴とする。
【００３１】
前記画素値を補償するステップは、前記画素値を補償するための補償係数を次の数式に適用し、補償されたＲ’Ｇ’Ｂ’画素値を算出することを特徴とする。
【００３２】
【数２２】
2008263586.tif 000010
前記数式において、Ｒ、Ｇ、Ｂは補償前の画素値、Ｒ’、Ｇ’、Ｂ’は補償された画素値、及びｆｃは補償係数である。
【００３３】
前記画素値を補償するステップは、前記補償係数を次の数式を用いて算出することを特徴とする。
【００３４】
【数２３】
2008263586.tif 000011
前記数式において、ｆｃ（ｉ，ｊ）は（ｉ，ｊ）番目画素の補償係数、Ｔｈｒは補償利得を制御するための媒介変数、ｆｂ（ｉ，ｊ）は（ｉ，ｊ）番目画素の補間された輝度値、ＬＵＴＢＬＵ（ｆｂ（ｉ，ｊ））はｆｂ（ｉ，ｊ）をルックアップテーブルを用いて補正した値、Ｙ（ｉ，ｊ）＝ｍａｘ（Ｒ（ｉ，ｊ），Ｇ（ｉ，ｊ），Ｂ（ｉ，ｊ））、及びＬＵＴＧＲＡＹ（Ｙ（ｉ，ｊ））はＹ（ｉ，ｊ）をルックアップテーブルを用いて補正した値である。
【００３５】
前記画素値を補償するステップは、前記補償された輝度値は、次の数式を用いて推定された輝度値を補間して算出することを特徴とする。
【００３６】
【数２４】
2008263586.tif 000012
前記数式において、ｆＥ（ｍ，ｎ）はｍ×ｎに分割された１画面において部分領域毎に推定された輝度値、ＢＬＫ＿ＮＵＭは全体部分領域の個数、ＬＬＤ（ｋ）は部分領域（ｋ）の代表値、及びＷｋ（ｍ，ｎ）は（ｍ，ｎ）番目部分領域（ｋ）の光プロファイルデータである。
【００３７】
前記発光部を制御するステップは、前記ＲＧＢ画素値のうち、最も大きい値を有する画素に対して、前記部分領域毎のグレイレベルヒストグラムを算出した後、次の数式を用いて、前記部分領域毎の初期代表値を算出することを特徴とする。
【００３８】
【数２５】
2008263586.tif 000013
前記数式において、Ｌｉｎｉｔ（ｋ）は部分領域（ｋ）の初期代表値、Ｌ＿Ｔｈｒは部分領域（ｋ）の輝度補償のための係数、ＢＬＫ＿ＮＵＭは全体部分領域の個数、Ｎｈはグレイレベルの個数、Ｎｉは部分領域（ｋ）に対するグレイレベルヒストグラムにおいてｉ番目グレイレベルに該当する画素の個数、及びＭｉは部分領域（ｋ）に対するグレイレベルヒストグラムにおいてｉ番目グレイレベルの平均画素値である。
【００３９】
前記発光部を制御するステップは、前記初期代表値に対して空間フィルタリング及び時間フィルタリングを行い、前記発光部を制御するための代表値を出力することを特徴とする。
【００４０】
そして、本発明のディスプレイ装置の輝度調整方法は、補償された前記画素値により前記代表値が調整されて発生する画面全体の輝度を補償するステップを更に含む。
【００４１】
そして、画面全体に対して前記代表値を同一比率に調整するための前記比率を、次の数式を用いて算出するステップを更に含むことを特徴とする。
【００４２】
【数２６】
2008263586.tif 000014
前記数式において、ＲＧＤは前記比率、Ａはカットオフグレイレベル、及びＴｈｒ２は０〜１範囲の閾値である。
【００４３】
ここで、前記カットオフグレイレベルは、次の数式を満たす最大グレイレベル値であることが好ましい。
【００４４】
【数２７】
2008263586.tif 000015
前記数式において、ｇは０〜２５５までのグレイレベル、Ｈ（ｇ）はグレイレベルｇに該当する画素の個数、及びＣｕｔ＿Ｔｈｒはグレイレベル０〜Ａに該当する画素の個数が複数になる予め設定された閾値である。
【００４５】
また、本発明のディスプレイ装置の輝度調整方法は、次の数式を用いて補償されたＲ”Ｇ”Ｂ”画素値を算出するステップを更に含む。
【００４６】
【数２８】
2008263586.tif 000016
前記数式において、ｆＩＩＲはＩＩＲ（Ｉｎｆｉｎｉｔｅ  Ｉｍｐｕｌｓｅ  Ｒｅｓｐｏｎｓｅ）低域パスフィルタ、及びγはガンマ補償係数である。
【００４７】
前記画素値を補償するステップは、前記Ｒ’Ｇ’Ｂ’画素値をディザリングし、輪郭線アーチファクト（Ｃｏｎｔｏｕｒ  ａｒｔｉｆａｃｔ）を除去するステップを含むことを特徴とする。
【００４８】
最後に、前記発光部は、複数のＬＥＤ（Ｌｉｇｈｔ  Ｅｍｉｔｔｉｎｇ  Ｄｉｏｄｅ）、複数のＣＣＦＬ（Ｃｏｌｄ  Ｃａｔｈｏｄｅ  Ｆｌｕｏｒｅｓｃｅｎｔ  Ｌａｍｐ）、複数のＦＥＤ（Ｆｉｅｌｄ  Ｅｍｉｓｓｉｏｎ  Ｄｉｏｄｅ）、及び複数のＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）のうち少なくともいずれか一つから構成されることを特徴とする。
【発明を実施するための最良の形態】
【００４９】
以下、添付の図面に基づいて本発明の好適な実施形態を詳述する。
【００５０】
図１は、本発明の一実施形態に係るディスプレイ装置の概略的な構成を示すブロック図である。
【００５１】
同図に示すように、本発明のディスプレイ装置は、映像信号処理部１００、発光制御部２００、パネル制御部３００、発光部４００、及びパネル部５００を含む。
【００５２】
発光部４００は、光を発生する複数の発光体を含み、複数の部分領域に分割される。たとえば、発光部４００は８×８に分割された６４個の部分領域に形成することができる。そして、分割されたそれぞれの部分領域は、輝度が同一に制御される複数の発光体から構成される。主に使用される発光体としては、応答速度の早いＬＥＤ（Ｌｉｇｈｔ  Ｅｍｉｔｔｉｎｇ  Ｄｉｏｄｅ）があり、その他にもＣＣＦＬ（Ｃｏｌｄ  Ｃａｔｈｏｄｅ  Ｆｌｕｏｒｅｓｃｅｎｔ  Ｌａｍｐ）、ＦＥＤ（Ｆｉｅｌｄ  Ｅｍｉｓｓｉｏｎ  Ｄｉｏｄｅ）、及びＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）などが発光体として使用され得る。
【００５３】
パネル部５００は、発光部４００から発生した光の透過率を調節し、映像信号が可視化され、画面にディスプレイされるようにする。このようなパネル部５００は、電極が生成されている２つの基板が対向するように配置されており、両基板の間に液晶物質が注入されて形成される。ここで、両電極に電圧を印加すると、電場が生成され、両基板の間に注入された液晶物質の分子を動くようにして光の透過率を調節する。
【００５４】
映像信号処理部１００は、入力される映像信号をパネル部５００の解像度に適するように信号処理し、ＲＧＢ映像信号に出力する。
【００５５】
発光制御部２００は、映像信号処理部１００から出力されるＲＧＢ映像信号に応じて、発光部４００を制御し、発光部４００に含まれた複数の発光体の輝度を調整する。このような発光制御部２００は、部分輝度調整部２１０及び全体輝度調整部２３０を含む。
【００５６】
部分輝度調整部２１０は、ＲＧＢ映像信号を用いて算出された輝度値に応じて、画面の部分領域毎に輝度が調整されるように発光部４００を制御する。すなわち、それぞれの部分領域に表示されるＲＧＢ画素値を用いて、発光部４００の各部分領域に含まれた発光体の輝度調節に適用される代表値を算出する。
【００５７】
前記輝度調整部２３０は、画面に表示される映像の輝度に応じて、画面全体の輝度が調整されるように、各部分領域の代表値を同一比率に調整する。すなわち、全体的に暗い映像が画面に表示される場合、画面全体の輝度が同一比率に低くなるように発光部４００を制御する。ここで、画面全体の輝度は、後述する部分画素値補償部３１０から出力されるＲ’Ｇ’Ｂ’画素値に基づいて調節される。
【００５８】
パネル制御部３００は、画面のコントラスト比を向上させるために、映像信号処理部１００から出力されるＲＧＢ映像信号を用いて、パネル部５００に表示される画素値を補償する。このようなパネル制御部３００は、部分画素値補償部３１０及び全体画素値補償部３３０を含む。
【００５９】
部分画素値補償部３１０は、部分領域毎に輝度の調整された発光部４００によって発生する映像信号の損失が補償されるように、部分領域毎にＲＧＢ画素値を補償する。すなわち、部分輝度調整部２１０の部分領域毎の輝度調整によって発生するアーチファクトが除去されるように、ＲＧＢ画素値を補償して出力する。
【００６０】
更に詳細に説明すると、部分画素値補償部３１０は、部分輝度調整部２１０から算出された代表値を用いて、１画面に対する光プロファイルが適用された輝度値を部分領域毎に推定する。そして、推定された輝度値によって発生するブロッキングアーチファクト（Ｂｌｏｃｋｉｎｇ  Ａｒｔｉｆａｃｔ）が除去されるように、推定された輝度値を補償する。そして、補償された輝度値を用いて部分領域毎の補償係数を算出した後、算出された補償係数を用いてＲＧＢ画素値を補償したＲ’Ｇ’Ｂ’画素値を出力する。
【００６１】
全体画素値補償部３３０は、全体輝度調整部２３０によって各部分領域の代表値が同一比率に調整され画面全体の輝度変化を補償する。すなわち、全体輝度調整部２３０によって画面全体の輝度が同一比率に低くなるように発光部４００が制御される場合、暗い領域でのコントラスト比が減少して画質が低下する。そのため、本来の輝度で映像が表示されるようにするために、各部分領域の代表値が同一に調整された比率に応じて、Ｒ’Ｇ’Ｂ’画素値を補償して出力する。
【００６２】
以下では、発光制御部２００及びパネル制御部３００の構成および動作について詳細に検討する。
【００６３】
図２は、本発明の一実施形態に係るディスプレイ装置に含まれた発光制御部の構成を示すブロック図であり、図３は、本発明の一実施形態に係るディスプレイ装置に含まれた発光制御部における代表値の演算方法を説明するための図である。
【００６４】
同図に示すように、発光制御部２００は、ヒストグラム算出部２１１、輝度値算出部２１３、空間フィルタ部２１５、及び時間フィルタ部２１７を含む部分輝度調整部２１０及び全体輝度調整部２３０を含む。
【００６５】
ヒストグラム算出部２１１は、図３に示すように、所定の部分領域（ｋ）に対するグレイレベルヒストグラムを算出する。このとき、ヒストグラム算出部２１１は、数式（１）の条件を満たす画素値を用いてグレイレベルヒストグラムを算出する。
Ｙ（ｉ，ｊ）＝ｍａｘ（Ｒ（ｉ，ｊ），Ｇ（ｉ，ｊ），Ｂ（ｉ，ｊ））         （１）
数式（１）において、Ｙ（ｉ，ｊ）は（ｉ，ｊ）に位置した画素の輝度値、Ｒ（ｉ，ｊ）は（ｉ，ｊ）に位置した画素のＲ画素値、Ｇ（ｉ，ｊ）は（ｉ，ｊ）に位置した画素のＧ画素値、及びＢ（ｉ，ｊ）は（ｉ，ｊ）に位置した画素のＢ画素値である。数式（１）は、（ｉ，ｊ）に位置したＲＧＢ画素値のうち、最も大きい画素値を（ｉ，ｊ）に位置した画素の輝度値として選択するということを意味する。このように一つの部分領域（ｋ）に含まれた画素の輝度値を算出して、グレイレベルヒストグラムを算出する。
【００６６】
ここで、ヒストグラム算出部２１１は、図３に示すように、１０２４×７６８に形成された１画面を構成するすべての部分領域に対して、数１を用いてグレイレベルヒストグラムを算出する。
【００６７】
輝度値算出部２１３は、グレイレベルヒストグラムを数２に適用し、各部分領域に対する初期代表値を算出する。
【００６８】
【数２９】
2008263586.tif 000017
数式（２）において、Ｌｉｎｉｔ（ｋ）は部分領域（ｋ）の初期代表値、Ｌ＿Ｔｈｒは部分領域（ｋ）の輝度補償のための係数であって予め設定された値、ＢＬＫ＿ＮＵＭは全体部分領域の個数、Ｎｈはグレイレベルの個数、Ｎｉは部分領域（ｋ）に対するグレイレベルヒストグラムにおいてｉ番目グレイレベルに該当する画素の個数、及びＭｉは部分領域（ｋ）に対するグレイレベルヒストグラムにおいてｉ番目グレイレベルの平均画素値である。図３において、Ｎｈ＝８、ＮｉはＲ０ないしＲ７のそれぞれに該当する画素の個数、ＭｉはＲ０ないしＲ７での平均画素値である。
【００６９】
空間フィルタ部２１５は、初期代表値（Ｌｉｎｉｔ）を空間フィルタリングして出力する。すなわち、発光部４００の各部分領域に初期代表値（Ｌｉｎｉｔ）が与えられる場合、各部分領域の輝度差によって停止映像でアーチファクトが発生するようになる。これを除去するために、初期代表値（Ｌｉｎｉｔ）を空間低域パスフィルタを介して空間フィルタリングし、フィルタリングされた代表値（Ｌｓ）を出力する。
【００７０】
時間フィルタ部２１７は、フィルタリングされた代表値（Ｌｓ）を時間フィルタリングして出力する。すなわち、発光部４００の各部分領域にフィルタリングされた代表値（Ｌｓ）が与えられる場合、各部分領域の輝度差によって動画で映像の点滅現象が発生するようになる。これを除去するために、代表値（Ｌｓ）を時間低域パスフィルタを介して時間フィルタリングし、代表値（ＬＬＤ）を出力する。
【００７１】
全体輝度調整部２３０は、数式（３）を用いて画面全体の輝度を部分画素値補償部３１０において補償されて出力されるＲ’Ｇ’Ｂ’画素値に応じて調整する。
【００７２】
【数３０】
2008263586.tif 000018
数式（３）において、Ｌｏｕｔ（ｋ）は部分領域（ｋ）に含まれた発光体の輝度を調整するための最終値、そして、ＲＧＤは画面全体の調整比率である。
【００７３】
図４は、本発明の一実施形態に係るディスプレイ装置に含まれた発光制御部の画面全体の輝度調整方法を説明するための図である。同図に示すように、画面全体の輝度を同一比率（ｒａｔｉｏ  Ｒ）に調整し、このような比率は数式（４）によって算出される。
【００７４】
【数３１】
2008263586.tif 000019
数式（４）において、ＲＧＤは画面全体の輝度を同一に調整するための比率、Ａはカットオフグレイレベルであって白色ガウス雑音を排除した部分領域に対する画素の最大グレイレベル、そして、Ｔｈｒ２は０〜１範囲の閾値である。
ここで、Ａは、数式（５）を満たす最大グレイレベル値である。
【００７５】
【数３２】
2008263586.tif 000020
数式（５）において、ｇは０〜２５５までのグレイレベル、Ｈ（ｇ）はグレイレベルｇに該当する画素の個数、そしてＣｕｔ＿Ｔｈｒはレベル０〜Ａに該当する画素の個数が複数となる予め設定された閾値である。
【００７６】
図５は、本発明の一実施形態に係るディスプレイ装置に含まれたパネル制御部の構成を示すブロック図であり、図６ないし図９は、本発明の一実施形態に係るディスプレイ装置に含まれたパネル制御部の画素値補償方法を説明するための図である。
【００７７】
同図に示すように、パネル制御部３００は、輝度値推定部３１１、第１ＬＵＴ保存部３１２、輝度値補間部３１３、第２ＬＵＴ保存部３１４、補償係数算出部３１５、画素値補償部３１６、及びティザ部３１７を含む部分画素値補償部３１０及び全体画素値補償部３３０を含む。
【００７８】
輝度値推定部３１１は、部分輝度調整部２１０から算出された代表値（ＬＬＤ）を次の数式（６）に適用し、各部分領域での輝度値を推定する。
【００７９】
【数３３】
2008263586.tif 000021
数式（６）において、ｆＥ（ｍ，ｎ）はｍ×ｎに分割された１画面において部分領域毎に推定された輝度値、ＢＬＫ＿ＮＵＭは全体部分領域の個数、ＬＬＤ（ｋ）は部分領域（ｋ）の代表値、及びＷｋ（ｍ，ｎ）は（ｍ，ｎ）番目の部分領域（ｋ）の光プロファイルデータである。
【００８０】
第１ＬＵＴ保存部３１２には、光プロファイルデータが図６に示すようなルックアップテーブルで保存される。図６は、任意の部分領域（ｋ）がオンであり、その他の部分領域がすべてオフである場合、各部分領域の中心にて測定した光プロファイルデータを示している。同図に示すように、オンになっている部分領域の輝度値が最も大きくて、周辺に行くほど輝度値が次第に小さくなる。
【００８１】
輝度値補間部３１３は、推定された輝度値（ｆＥ）を用いて、各部分領域の（ｉ，ｊ）番目画素値を補間する。すなわち、部分輝度調整部２１０から出力された代表値（ＬＬＤ）を発光部４００に適用する場合、図７に示すように、各部分領域が推定された輝度値（ｆＥ）を有するようになり、ブロッキングアーチファクトが発生するようになる。このようなブロッキングアーチファクトが発生しないようにするために、推定された輝度値（ｆＥ）に双３次（Ｂｉｃｕｂｉｃ）補間法や双線形（Ｂｉｌｉｎｅａｒ）補間法を適用し、（ｉ，ｊ）番目画素の補間された画素値（ｆｂ）を算出する。
【００８２】
第２ＬＵＴ保存部３１４には、図８Ａ及び図８Ｂに示されたルックアップテーブルが保存される。すなわち、後述される補償係数算出部３１５で補償係数を算出するために、（ｉ，ｊ）番目画素の補間された画素値（ｆｂ）を補正するのに必要な第１ルックアップテーブル（ＬＵＴＢＬＵ）、及び（ｉ，ｊ）番目画素の輝度値（Ｙ）を補正するのに必要な第２ルックアップテーブル（ＬＵＴＧＲＡＹ）が保存される。
【００８３】
補償係数算出部３１５は、第２ＬＵＴ保存部３１４に保存されたルックアップテーブルを用いて、数式（７）を用いて補償係数を算出する。
【００８４】
【数３４】
2008263586.tif 000022
数式（７）において、ｆｃ（ｉ，ｊ）は（ｉ，ｊ）番目画素の補償係数、Ｔｈｒは補償利得を制御するための媒介変数、ｆｂ（ｉ，ｊ）は（ｉ，ｊ）番目画素の補間された輝度値、ＬＵＴＢＬＵ（ｆｂ（ｉ，ｊ））はｆｂ（ｉ，ｊ）をルックアップテーブルを用いて補正した値、Ｙ（ｉ，ｊ）＝ｍａｘ（Ｒ（ｉ，ｊ），Ｇ（ｉ，ｊ），Ｂ（ｉ，ｊ））、及びＬＵＴＧＲＡＹ（Ｙ（ｉ，ｊ））はＹ（ｉ，ｊ）をルックアップテーブルを用いて補正した値である。
【００８５】
画素値補償部３１６は、補償係数算出部３１５から算出された補償係数を用いて、数式（８）に基づいてＲＧＢ画素値を補償してＲ’Ｇ’Ｂ’画素値を出力する。
【００８６】
【数３５】
2008263586.tif 000023
数式（８）において、ｆｃはＲＧＢ画素値を補償するための補償係数であり、２５５と補償係数によって補償された画素値とのうち小さい値を選択し、Ｒ’Ｇ’Ｂ’画素値が最大輝度値の２５５を超えて映像が飽和（Ｓａｔｕｒａｔｉｏｎ）されないようにする。
【００８７】
ティザ部３１７は、画素値補償部３１６から出力されるＲ’Ｇ’Ｂ’画素値をディザリングして出力する。すなわち、画素値補償部３１６から出力されるＲ’Ｇ’Ｂ’画素値を用いて映像を表示すると、輪郭線アーチファクトが発生するが、これを除去するためにディザリングを行なう。
【００８８】
全体画素値補償部３３０は、ディザ部３１７からディザリングされたＲ’Ｇ’Ｂ’画素値を用いて、全体輝度調整部２３０によって変化された画面全体の輝度を補償する。すなわち、全体画素値補償部３３０は、数式（９）を用いて、Ｒ’Ｇ’Ｂ’画素値を補償してＲ”Ｇ”Ｂ”画素値を出力する。
【００８９】
【数３６】
2008263586.tif 000024
数式（９）において、Ｒｒｅは全体輝度調整部２３０によって変化された画面全体の輝度を補償するための係数であり、２５５と係数によって補償された画素値とのうち小さい値を選択し、Ｒ”Ｇ”Ｂ”画素値が最大輝度値の２５５を超えて映像が飽和されないようにする。ここで、Ｒｒｅは画面全体の輝度を同一に調整するための比率ＲＧＤを数式（１０）に適用して算出し、図９に示す通りである。
【００９０】
【数３７】
2008263586.tif 000025
数式（１０）において、ｆＩＩＲはＩＩＲ（Ｉｎｆｉｎｉｔｅ  Ｉｍｐｕｌｓｅ  Ｒｅｓｐｏｎｓｅ）低域パスフィルタ、及びγはガンマ補償係数である。
【００９１】
図１０は、本発明の一実施形態に係るディスプレイ装置の輝度調整方法を説明するためのフローチャートである。
【００９２】
同図に示すように、部分輝度調整部２１０が各部分領域の代表値（ＬＬＤ）を算出する（Ｓ６００）。ここで、算出された代表値（ＬＬＤ）は、入力される映像信号の部分領域毎のＲＧＢ画素値の大きさに応じて、パネル部５００に光を提供するように発光部４００を部分領域毎に制御するための調整値である。
【００９３】
そして、部分画素値補償部３１０は、代表値（ＬＬＤ）によって映像信号に発生する損失を補償したＲ’Ｇ’Ｂ’画素値を算出する（Ｓ６２０）。すなわち、代表値（ＬＬＤ）によって部分領域毎に輝度が制御される発光部４００により、色々なアーチファクトが発生され、本来の映像が正常的に具現できず画質が低下する。これを防止するために、代表値（ＬＬＤ）によって部分領域毎に調整される発光部４００の影響を推測し、入力されるＲＧＢ画素値を補償してＲ’Ｇ’Ｂ’画素値を出力する。
【００９４】
全体輝度調整部２３０は、代表値（ＬＬＤ）をＲ’Ｇ’Ｂ’画素値に応じて調整し、最終値（Ｌｏｕｔ）を算出する（Ｓ６４０）。詳細には、全体輝度調整部２３０は、Ｒ’Ｇ’Ｂ’画素値に応じて画面全体の輝度が調整されるように、代表値（ＬＬＤ）を各部分領域毎に同一比率に調整した最終値（Ｌｏｕｔ）を出力する。
【００９５】
最後に、全体画素値補償部３３０は、最終値（Ｌｏｕｔ）に応じた画面全体の輝度変化を補償したＲ”Ｇ”Ｂ”画素値を算出する（Ｓ６６０）。たとえば、全体輝度調整部２３０によって画面全体の輝度が同一比率に低くなるように発光部４００が制御される場合、暗い領域でのコントラスト比が減少され画質が低下する。そのため、Ｒ’Ｇ’Ｂ’画素値の輝度で映像が表示されるようにするために、各部分領域の代表値が同一に調整された比率に応じて、Ｒ’Ｇ’Ｂ’画素値を補償してＲ”Ｇ”Ｂ”画素値を出力する。
【００９６】
以上のような過程により、部分領域毎に輝度を制御してコントラスト比を向上させ、画面全体の輝度を調整することができるようになる。また、このような輝度調整方法は本発明に示したＬＣＤだけではなく、映像信号を表示する他のディスプレイ装置にも利用することができる。
【００９７】
以上の説明の通り本発明によると、部分領域毎に発光部の輝度を調整し、これによるアーチファクトを除去し、画面のコントラスト比を向上させることができるようになる。
【００９８】
また、入力映像に応じて全体画面の輝度を調整し、これによる映像の損失を補償して電力の浪費を減少し、効果的に画質を改善することができるようになる。
【００９９】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【０１００】
【図１】本発明の一実施形態に係るディスプレイ装置の概略的な構成を示すブロック図である。
【図２】本発明の一実施形態に係るディスプレイ装置に含まれた発光制御部の構成を示すブロック図である。
【図３】本発明の一実施形態に係るディスプレイ装置に含まれた発光制御部における代表値の演算方法を説明するための図である。
【図４】本発明の一実施形態に係るディスプレイ装置に含まれた発光制御部における画面全体の輝度調整方法を説明するための図である。
【図５】本発明の一実施形態に係るディスプレイ装置に含まれたパネル制御部の構成を示すブロック図である。
【図６】本発明の一実施形態に係るディスプレイ装置に含まれたパネル制御部の画素値補償方法を説明するための図である。
【図７】本発明の一実施形態に係るディスプレイ装置に含まれたパネル制御部の画素値補償方法を説明するための図である。
【図８Ａ】本発明の一実施形態に係るディスプレイ装置に含まれたパネル制御部の画素値補償方法を説明するための図である。
【図８Ｂ】本発明の一実施形態に係るディスプレイ装置に含まれたパネル制御部の画素値補償方法を説明するための図である。
【図９】本発明の一実施形態に係るディスプレイ装置に含まれたパネル制御部の画素値補償方法を説明するための図である。
【図１０】本発明の一実施形態に係るディスプレイ装置の輝度調整方法を説明するためのフローチャートである。
【符号の説明】
【０１０１】
１００      映像信号処理部
２００      発光制御部
２１０      部分輝度調整部
２３０      全体輝度調整部
３００      パネル制御部
３１０      部分画素値補償部
３３０      全体画素値補償部
４００      発光部
５００      パネル部
【図１】
2008263586.tif 000040
【図２】
2008263586.tif 000041
【図３】
2008263586.tif 000042
【図４】
2008263586.tif 000043
【図５】
2008263586.tif 000044
【図６】
2008263586.tif 000045
【図７】
2008263586.tif 000046
【図８Ａ】
2008263586.tif 000047
【図８Ｂ】
2008263586.tif 000048
【図９】
2008263586.tif 000049
【図１０】
2008263586.tif 000050